(57)【要約】  本発明は、露呈された場合にハンドバッグを他の用途に変換する隠蔽要素を有するハンドバッグに関する。本発明の本質的な特徴部は、本明細書の実施例に示す実施形態とは詳細部が異なるが、本発明の技術的思想で保護される他の実施形態に組み込むことができる。同様に、本発明は、最適な材料を用いて任意の形状及びサイズで作ることができ、前記の全ては請求の範囲に含まれる。本明細書で用いる用語は、常に広範で非限定的な意味と見なす必要がある。【選択図】図３
2014522681.tif 000002
【特許請求の範囲】
【請求項１】
スーツケース及びトロリーバッグに変換可能なハンドバッグであって、
ハンドバッグの大きな表面側に対応する、前部及び裏部を有する２つの正面部（１）と、前記正面部の間に設けられる２つの側面（２）と、前記バッグの上部（３）の閉鎖手段と、底面の固定要素（１３）及び他の拡張可能な要素（１４）と、前記ハンドバッグを持ち運ぶためのハンドル（７）とを備え、
前記ハンドバッグは、
該ハンドバッグの側面に形成された任意の横方向折り畳み部（８）を位置決め可能に、展開、及びカバーして、展開されて拡張されると前記ハンドバッグの内部容積を横方向につまり幅方向に増大させる手段と、
スーツケースに変換された状態の前記ハンドバッグを引っ張る手段を、位置決め可能に、展開、及びカバーする手段と、
前記ハンドバッグのより大きな寸法まで横方向に格納可能又は引き出し拡張可能で、底面又は基部に配置されるセクションと、
を備えることを特徴とする、スーツケース及びトロリーバッグに変換可能なハンドバッグ。
【請求項２】
前記側面（２）からの任意の横方向折り畳み部（８）を位置決め可能に、展開、及びカバーする手段は、閉鎖フラップ（１０）でカバーされるジッパー（９）で構成され、前記閉鎖フラップ（１０）は一端が固定され、他端がフック及びループファスナーに基づく任意の閉鎖手段（１２）によって閉じる、請求項１に記載のスーツケース及びトロリーバッグに変換可能なハンドバッグ。
【請求項３】
引き出し式ハンドル（５）は、ハウジング（６）内に格納された状態で前記ハンドバッグの側面に位置する複数の引き出し式セクション（５．１）、（５．２）、及び（５．３）を備える、請求項１に記載のスーツケース及びトロリーバッグに変換可能なハンドバッグ。
【請求項４】
ハウジング（６）へのアクセス手段をカバーするフラップ（５．４）を備え、前記フラップ（５．４）は、前記ハウジング（６）内に格納された状態の前記引き出し式ハンドル（５）を隠し、前記閉鎖フラップ（５．４）は、閉じられることになる場所での対向部（５．５）に配置された複数の小さなフックが係合可能な複数のループに基づくことができる閉鎖手段で固定される、請求項３に記載のスーツケース及びトロリーバッグに変換可能なハンドバッグ。
【請求項５】
前記側面折り畳み部（８）と組み合わせて、格納された前記ハンドバッグの幅の分離部又は展開部をカバーする任意の材料（８．１）が存在し、材料（８．１）は、折り畳まれると前記側面（２）の前記折り畳み部（８）に隣接し、前記ジッパー（９）でカバーされる、請求項２に記載のスーツケース及びトロリーバッグに変換可能なハンドバッグ。
【請求項６】
前記固定底面セクション（１３）上には、前記底面セクション（１３）の下に隠すことができる引き出し可能な要素（１４）が存在する、請求項１に記載のスーツケース及びトロリーバッグに変換可能なハンドバッグ。
【請求項７】
前記固定底面要素（１３）及び前記引き出し可能な要素（１４）の両方は、それぞれ車輪（１３．１）及び車輪（１４．１）といった少なくとも２つの回転手段を有する、請求項６に記載のスーツケース及びトロリーバッグに変換可能なハンドバッグ。
【請求項８】
前記車輪（１３．１）及び前記車輪（１４．１）の両方は、折り畳み式であり、その目的のために、前記車輪はそれぞれ折り畳み軸（１３．４）及び（１４．２）を有する、請求項７に記載のスーツケース及びトロリーバッグに変換可能なハンドバッグ。
【請求項９】
前記引き出し可能な要素（１４）は支持要素（１３．３）を有する、請求項６に記載のスーツケース及びトロリーバッグに変換可能なハンドバッグ。
【請求項１０】
材料要素（１７）に関する折り畳み部（１６）を格納、展開、及び隠すための手段を有し、該手段は、前記ハンドバッグの前記正面部（１）の周囲に形成される前記折り畳み部（１６）をカバーし、前記折り畳み部は、ジッパー（１５）によって隠される、請求項１から９のいずれかに記載のスーツケース及びトロリーバッグに変換可能なハンドバッグ。
【請求項１１】
前記引き出し式伸縮ハンドル（５）が保持される場所で前記正面裏部に補強部材（１１）を有し、前記補強部材は、前記ハンドバッグの裏部を全体的に又は部分的にカバーする、請求項１から１０のいずれかに記載のスーツケース及びトロリーバッグに変換可能なハンドバッグ。
【請求項１２】
前記側面の前記ジッパー（９）は、上側ジッパー（１８）及び下側ジッパー（１９）の２つのセクションに分割され、前記ジッパーの各々は、それぞれ閉鎖フラップ（１８．１）及び（１９．１）でカバーされる、請求項１から１１のいずれかに記載のスーツケース及びトロリーバッグに変換可能なハンドバッグ。
【発明の詳細な説明】
【技術分野】
【０００１】
本発明の目的は、発明の名称が示唆するように、スーツケースだけでなくトロリーバッグにも変換可能なハンドバッグである。つまり、本発明は、ハンドバッグとしての全ての適切な構造的及び寸法的性質を有し、同様にスーツケースの適切な特徴、つまり大容量という特性のスーツケースになることができる特徴を有し、更にトロリーバッグに変換することもできるハンドバッグに関する。
【０００２】
本発明は、特に、拡張できるバッグの側面及び底面の結果、内部容積を増やすことができることにより、特別な考え抜かれた構造的特徴に特徴付けさられ、バッグはさらに展開することができるので、バッグの全幅にわたって容積を増やすことができる。
【０００３】
更に、本発明は、外面の裏側に準備された区画に保持することができる、幾つかの引き出し式伸縮セクションによる展開可能なハンドルを含むことを特徴とする。
【０００４】
従って、本発明は、ハンドバッグの技術分野に属し、特に構造的な特徴部、具体的には内部容積を増やすことができる特徴部に関する。
【背景技術】
【０００５】
従来から、一部の寸法を大きくすることで、折り畳むことができる一部の材料をその側面から解放することで内部容積を増大できるスーツケースが知られており、この材料は、ジッパー又は類似の閉鎖デバイスを開くことで解放される。
【０００６】
また、折り畳むことができるハンドバッグの閉鎖構成要素の一部を解放又は展開することで、一部の寸法を部分的に増大させることができるハンドバッグも存在する。
【発明の概要】
【発明が解決しようとする課題】
【０００７】
しかしながら、従来の既存のハンドバッグにおいて、構造的特徴によって、大きな内部容積及び良好な運搬を可能にする引き出し式伸縮ハンドルを含む全ての内在的な特徴を有する、スーツケース又はトロリーバッグへの変換を可能にするものは知られていない。
【課題を解決するための手段】
【０００８】
従って、本発明は、内部容積を増大できる可能性に関する既存のスーツケース及びハンドバッグの欠点を解消したスーツケース及びトロリーバッグに変換可能なハンドバッグを目的とする。さらに、以下の記載は前述のものに導入されるハンドバッグのデザインを説明し、このハンドバッグの本質は請求項１に記載される。
【０００９】
スーツケース及びトロリーバッグに変換可能なハンドバッグは、ハンドバックの大きな表面側に対応する２つの正面（前部及び裏部）と、２つの側面を有する適切なハンドバッグ構造から構成される。また、ハンドバッグは、手で保持できるようにハンドルを有する。
【００１０】
しかしながら、ハンドバッグは、前述の特徴部に加えて、バッグの側部に構成された、何らかの横方向の折り畳み部を維持、展開、及びカバーする手段を備え、展開して拡張すると、横寸法つまり幅に関してバッグの内部容積を増大させることができる。
【００１１】
同様に、スーツケース変換されたバッグを引っ張ることを可能にする特定の手段を維持、展開、及びカバーする手段を備える。
【００１２】
底面又は基部において、ハンドバッグは、バッグの最大寸法に関わる横方向において格納可能な又は引き出し可能なセクションを備えるので、側部折り畳み部を展開することでハンドバッグの幅が増大する場合にバッグの底面が対応して変化する、換言すると、横寸法は、バッグの幅が増大するのと同じような方法で増大する。
【００１３】
ハンドバッグを持ち運ぶ目的でスーツケースに変換された状態で、引き出し式伸縮ハンドルとは別に、ハンドバッグの底面は車輪を有し、車輪は、ハンドバッグ、スーツケース、又はトロリーバッグ時の使用目的に応じて固定式又は折り畳み式とすることができる。
【００１４】
随意的に、ハンドバッグは、追加の特徴部として高さを増大させる手段を備え、これにより大きな内部容積がもたらされ、実施可能な実施形態において、バッグの周囲に形成された特定の折り畳み部を維持、展開、及びカバーする手段を備える。
【００１５】
前述の特徴部によって、側面、随意的に正面を展開又は拡張することでスーツケースに変換でき、更に引き出し式伸縮ハンドル及び少なくとも折り畳み式の回転手段を有する、全ての構成要素を有するハンドバッグとして使用可能なバッグがもたらされる。
【００１６】
以下の説明に伴い、特徴を明確にするために、記述的な本明細書には、最も重要な詳細を示す非限定的で例示的な図面が添付されている。
【図面の簡単な説明】
【００１７】
【図１】変換される前のハンドバッグとして使用される場合の本発明のハンドバッグ対象物の斜視図である。
【図２】平面Ａ−Ｂで切り取った１つの側面の断面の詳細図である。
【図３】伸縮ハンドルが引き出された状態のバッグの斜視図であり、側面の一部が詳細に示されている。
【図４ａ】部分的に開放されて展開プロセスが始まっている側面の詳細図である。
【図４ｂ】図４ａと同様であるが側面はほとんど完全に展開状態にある。
【図５】展開される前のバッグの底面を示す。
【図６】格納セクションが完全に展開されたバッグ底面の正面図である。
【図７】車輪が表示されているバッグ底面の側面図である。
【図８】外側から見たバッグの底面を示し、バッグ底面を構成する２つの部位が取る相対位置を見ることができる。
【図９】高さを増大することができるバッグの他の実施形態を示す。
【図１０】バッグの垂直方向の拡張用の折り畳み部を維持、展開、及び隠すための手段の詳細を示す。
【図１１】引き出し可能な伸縮式ハンドルが完全に引き出され、高さに関して展開されたバッグを示す。
【発明を実施するための形態】
【００１８】
以下に図面を参照して好ましい実施形態を示す。
図１において、バッグは、バッグの大きな表面側に対応して、前部及び裏部を有する２つの正面部（１）を含むことが分かる。また、バッグは２つの正面部の間に配置される２つの側面（２）を有する。バッグの上部（３）には、本図ではジッパー（４）である閉鎖手段と、バッグを持ち運ぶためのハンドル（７）とが設けられている。
【００１９】
図１には、フラップ（５．４）でカバーされる格納式ハンドル（５）のためのハウジング（６）が破線で示されている。
【００２０】
図２には、側面（２）の折り畳み部（８）を維持、展開、及びカバーするための手段を実施する実現可能な方法が示されている。正面部（１）が側面（２）と接合する領域では、正面部は、側面の内側に配置され、実施可能な実施例ではジッパー（９）とすることができる閉鎖手段で閉鎖される折り畳み部（８）を有する。この閉鎖手段は、一端が固定され、他端をＶｅｌｃｒｏ（登録商標）として一般に知られているフック及びループに基づく他の種類の閉鎖手段（１．２）で閉じることができる閉鎖フラップ（１０）でカバーされる。
【００２１】
側面を強化するために、この側面には何らかの補強部材（１１）を設けることができ、高い剛性を付与する目的で、引き出し式伸縮ハンドル（５）が配置されるバッグの裏面を完全に又は部分的にカバーすることができる。
【００２２】
図３にはハンドバッグが示されている。引き出し式ハンドル（５）は完全に引き出されており、３段の引き出し式セクション（５．１）、（５．２）、及び（５．３）が示されているが、別の段数の引き出し式伸縮セクションとすることができる。これらのセクションは、破線で示され、バッグ裏面の下部に配置されるハウジング（６）内に格納することができる。ハウジング（６）内に格納された状態の引き出し式ハンドル（５）を隠すフラップ（５．４）が示されており、この閉鎖フラップ（５．４）は閉鎖手段で固定されるが、閉鎖手段は、閉鎖される場合に対向する部位（５．５）の複数のフックが係合可能な複数のループに基づくことができる。
【００２３】
この図３には、両側の部分的に開放された閉鎖フラップ（１０）が示されており、両側の上部には閉鎖手段が設けられており、閉鎖手段はこの場合ジッパー（９）である。
【００２４】
図４ａ及び４ｂには、側面を展開又は拡張するプロセスが示されており、側面（８）の折り畳み部と組み合わせて、バッグ幅の分離部又は展開部をカバーする任意の材料（８．１）が存在することが分かる。バッグの側面を折り畳むと、この材料（８．１）は、側面（２）の折り畳み部（８）に隣接した状態となり、ジッパー（９）でカバーされる。
【００２５】
図５には外側から見たバッグ底面の正面図が示されており、車輪（１３．１）等の少なくとも２つの回転手段が設けられている固定された底面要素（１３）、及び穴（１３．２）が示されていることに留意されたい。
【００２６】
図６には、底面要素（１３）の下に格納又は隠すことができる引き出し可能な部分又は要素（１４）を展開することで底面を幅方向に拡張する方法が示されている。また、この引き出し可能な要素（１４）は、回転手段を備える。図面では車輪（１４．１）で示されており、固定底面要素（１３）上に形成された穴（１３．２）に配置されている。
【００２７】
車輪（１４．１）及び車輪（１３．１）の両者は、最適な構成に合わせて折り畳み式又は固定式とすることができる。
【００２８】
図７には、車輪を展開したままで引き出し可能な要素を（１４）を固定底面要素（１３）に対して開く又は閉じる方法が示されている。
【００２９】
図８には、引き出し可能な底面要素（１４）の支持要素（１３．３）が示されており、これは随意的にスーツケースに変換された状態でバッグの安定性を高めることができる。
【００３０】
車輪（１３．１）及び車輪（１４．１）は、追加的に折り畳むことができ、その目的のために、両方の車輪は、それぞれ折り畳み軸（１３．４）及び（１４．２）を有し、この軸によって車輪はバッグ底面で可能な限り邪魔にならないように折り畳むことができる。
【００３１】
展開式車輪及び固定式車輪が隠される場合、バッグの底面は、前述の何らかの閉鎖部材を用いて、又は底面の外面上で目に見えないジッパーによって閉鎖することができる。
【００３２】
図９及び１０には別の実施形態が示されており、スーツケースの最大容量は高さの増大によって増大させることができ、この目的のために、バッグの正面部（１）の周囲に形成された折り畳み部（１６）を維持、展開、及び隠す手段を備える。この折り畳み部は、本実施例ではジッパー（１５）である閉鎖部材で隠すことができる。
【００３３】
図９にはバッグの別の実施例形態が示されており、側面（２）の展開に関して、バッグは、ジッパー（１５）によって高くすることができるように、上側ジッパー（１８）及び下側ジッパー（１９）の２つのセクションに分割されたジッパーを備えている。
【００３４】
さらに、図９に示すように、ジッパー（１８）及び（１９）は、それぞれ任意の閉鎖フラップ（１８．１）及び（１９．１）でカバー状態に維持することができる。
【００３５】
図１１には、正面部（１）が周囲の折り畳み部（１６）に沿って展開された場合にバッグがどうなるかを示し、折り畳み部（１６）をカバーすると共にジッパー（１５．１）及び（１５．２）の２つの半部分の間に広がる繊維要素（１７）を備えることが明かである。図示のように、バッグは、側面に閉鎖ジッパーを備え、バッグを展開して高さを増大させるのを阻止しないので、ジッパー（１５）、（１８）、及び（１９）の組み合わせによって、バッグは幅方向及び高さ方向に拡張することができる。
【００３６】
本発明は、本質的なデザインを考慮すれば、詳細には本明細書の説明したものとは異なり、明細書の実施例と見なすことができ請求項で同様に保護される他の構成手法を用いて実施することができる。同様に、バッグは、適切な材料で任意の形状及び寸法で作ることができ、全ての可能性は請求項の技術的思想で保護される。
【００３７】
本明細書の用語は、常に広範で非限定的な意味と見なす必要がある。
【符号の説明】
【００３８】
４  ジッパー
５  格納式ハンドル
５．４  フラップ
６  ハウジング
７  ハンドル
９  ジッパー
１０  閉鎖フラップ
【図１】
2014522681.tif 000003
【図２】
2014522681.tif 000004
【図３】
2014522681.tif 000005
【図４Ａ】
2014522681.tif 000006
【図４Ｂ】
2014522681.tif 000007
【図５】
2014522681.tif 000008
【図６】
2014522681.tif 000009
【図７】
2014522681.tif 000010
【図８】
2014522681.tif 000011
【図９】
2014522681.tif 000012
【図１０】
2014522681.tif 000013
【図１１】
2014522681.tif 000014
【国際調査報告】
2014522681.tif 000015
2014522681.tif 000016
2014522681.tif 000017
2014522681.tif 000018
2014522681.tif 000019
2014522681.tif 000020